(57)【要約】 【課題】シリンダー錠による施錠状態と解錠状態とを検知する検知手段を設けた電気錠装置において、検知手段による電力消費を可能なるかぎり減少させることができる電気錠装置を提案する。【解決手段】前記検知手段には、シリンダー錠が施錠状態で導通となる施錠ＳＷ５５、中間状態で導通となる中間ＳＷ５６、解錠状態で導通となる解錠ＳＷ５７を備え、解錠ＳＷ５７をプルアップＯＦＦ、中間ＳＷ５６をプルアップＯＮして第１待機状態とし、中間ＳＷ５６を導通、施錠ＳＷ５５、解錠ＳＷ５７を非導通、中間ＳＷ５６をプルアップＯＦＦして第２待機状態とし、中間ＳＷ５６、施錠ＳＷ５５を導通、解錠ＳＷ５７を非導通、中間ＳＷ５６、施錠ＳＷ５５をプルアップＯＦＦして第１異常待機モードとし、シリンダー錠を施解錠する構成としてある。【選択図】図２
2014224427.tif 000002
【特許請求の範囲】
【請求項１】
電動またはシリンダー錠の手動操作により、施錠および解錠が可能な錠前と、
前記錠前の施錠状態または解錠状態を検知する検知手段と、
前記検知手段の結果を監視し、その監視結果に基づいて前記錠前を電動駆動させる制御手段とを有する電気錠装置において、
前記検知手段は、前記錠前が施錠状態にあるときに導通状態となることで施錠検知出力を出力する第１検知手段と、
前記錠前が解錠状態にあるときに導通状態となることで解錠検知出力を出力する第２検知手段と、
前記錠前が施錠状態と解錠状態の間の中間状態にあるときに導通状態となることで中間検知出力を出力する第３検知手段とを備え、
前記制御手段は、前記シリンダー錠による施解錠の動作において、前記検知手段からの検知出力に応じて、前記第１検知手段又は／及び第２検知手段からの検知出力の有無を監視する動作モードと、非導通状態となっている検知手段を選択して監視する待機モードとを切り換える動作モード制御部を有することを特徴とする電気錠装置。
【請求項２】
請求項１に記載した電気錠装置において、
前記第１、第２、第３検知手段は、前記した錠前に設けたサムターンと共に回動する可動接点と、この可動接点が回動によって順次接合する施錠用固定接点、中間用固定接点、解錠用固定接点とを有するスイッチ構成としたことを特徴とする電気錠装置。
【請求項３】
請求項１または２に記載した電気錠装置において、
前記動作モード制御部は、前記施錠検知出力または前記解錠検知出力を検知したとき、前記第３検知手段からの中間検知出力の有無のみを監視し、他の検知出力は監視しない第１待機モード制御を行う構成としたことを特徴とする電気錠装置。
【請求項４】
請求項１または２に記載した電気錠装置において、
前記制御手段には、前記錠前が施錠状態にあるか、解錠状態にあるかを記憶するメモリを設け、
前記動作モード制御部は、前記中間検知出力を検知したときに、前記メモリに解錠状態にあったことが記憶されているときには、前記第１検知手段の検知出力の有無のみを監視し、前記第２検知手段および前記第３検知手段の検知出力は監視しない第２待機モード制御を行うことを特徴とする電気錠装置。
【請求項５】
請求項１または２に記載した電気錠装置において、
前記制御手段には、前記錠前が施錠状態にあるか、解錠状態にあるかを記憶するメモリを設け、
前記動作モード制御部は、前記中間検知出力を検知したときに、前記メモリに解錠状態にあったことが記憶されているときには、前記第２検知手段の検知出力の有無のみを監視し、前記第１検知手段および前記第３検知手段の検知出力は監視しない第３待機モード制御を行うことを特徴とする電気錠装置。
【請求項６】
上記した請求項１乃至５のいずれかに記載した電気錠装置において、
前記動作モード制御部は、前記中間検知出力および施錠検知出力を同時に検知したときに、前記第２検知手段の解錠検知出力の有無のみを監視し、前記第１検知手段および前記第３検知手段の検知出力は監視しない第１異常待機モード制御を行うことを特徴とする電気錠装置。
【請求項７】
上記した請求項１乃至４のいずれかに記載した電気錠装置において、
前記動作モード制御部は、前記中間検知出力および解錠検知出力を同時に検知したときに、前記第１検知手段の施錠検知出力の有無のみを監視し、前記第２検知手段および前記第３検知手段の検知出力は監視しない第２異常待機モード制御を行うことを特徴とする電気錠装置。
【請求項８】
上記した請求項１乃至７のいずれかに記載した電気錠装置において、
前記動作モード制御部は、前記した全ての検知出力を同時に検知したときに、
前記した全ての検知手段の検知出力を監視しない第３異常待機モード制御を行い、電動による施錠操作または解錠操作されたときに前記動作モードへの切り換え制御を行うことを特徴とする電気錠装置。
【請求項９】
上記した請求項１乃至８のいずれかに記載した電気錠装置において、
前記制御手段によって電動駆動される複数の錠前を設け、
前記制御手段には、いずれかの前記錠前の施錠検知出力に応じて、他方の前記錠前を施錠駆動させる施錠追従モード制御部を設けたことを特徴とする電気錠装置。
【請求項１０】
上記した請求項１または２に記載した電気錠装置において、
前記制御手段によって電動駆動される複数の錠前を設け、
前記制御手段には、前記錠前が施錠状態にあるか、解錠状態にあるかを記憶するメモリと、いずれかの前記錠前の中間検知出力に応じて起動するタイマーとを設け、
前記制御手段は、いずれか一方の前記錠前から中間検知出力または解錠検知出力を検知したとき、前記タイマーを起動し、所定時間内に他方の前記錠前の第２検知手段からの解錠検知出力を検知しないとき、または、複数の前記錠前からの解錠検知出力を得ないときには、一方の前記錠前を施錠駆動させる防犯モード制御部を設けたことを特徴とする電気錠装置。
【発明の詳細な説明】
【技術分野】
【０００１】
本発明は、建物用ドアなどに備える電気錠装置であって、特に、機械的なキーによって施解錠が可能なシリンダー錠を有する電気錠装置に関する。
【背景技術】
【０００２】
機械的なキーによって施解錠が可能なシリンダー錠を有する電気錠装置は、停電による電気錠の動作不能時に機械的なキーによる解錠ができるので、家屋からの締め出しが回避できる点で有利である。
しかし、この種の電気錠装置は、不正キーやピッキングなどによるシリンダー錠の不正解錠が行われることがあると言う防犯上の問題を有している。
そこで、今日では、不正キーやピッキングなどによる不正解錠の防犯機能を備えた電気錠装置が提案されている。
【０００３】
図９は、ピッキングの防犯機能を備えた電気錠装置の従来例を示した回路ブロックである。
この従来例の電気錠装置は、図示する如く、一つのドアに２つの電気錠１１、１２を備えた、いわゆる、ワンドア・ツーロック構成となっており、図示する如く、電気錠１１、１２には、施錠状態にあるか解錠状態にあるかを検知する検知手段１３、１４が設けられている。
【０００４】
上記の電気錠装置は、施解錠スイッチ１５から解錠入力すれば、制御回路１６が駆動部１７、１８を駆動して解錠を行うと共に、施解錠スイッチ１５から施錠入力があれば、制御回路１６が２つの駆動回路１７、１８を駆動して施錠を行う。
【０００５】
一方、鍵穴１９または２０に機械的なキーを差し入れてシリンダー２１または２２を回動し、電気錠１１、１２を施解錠するときは制御回路１６が次ぎのように動作する。
すなわち、一方の電気錠１１が解錠されて検知手段１３による解錠検知出力が制御回路１６に入力した時点から、制御回路１６のタイマーのカウントが開始する。
【０００６】
そして、タイマーの所定時間内に、他方の電気錠１２が解錠されて検知手段１４による解錠検知出力が制御回路１６に入力すれば、電気錠１１、１２が正常に解錠されたと判断される。
【０００７】
また、一方の電気錠１１の解錠検知出力が制御回路１６に入力しても、タイマーの所定時間内に他方の電気錠１２が解錠されず、検知手段１４による解錠検知出力が制御回路１６に入力しないときは、ピッキングによる不正解錠と判断し、解錠された一方の電気錠１１を施錠させる。
つまり、ピッキングによる解錠は正規キーによる解錠に対して、解錠時間が長引くため、タイマーの所定時間内には他方の電気錠１２を解錠させることができない。そのため、制御回路１６が不正解錠と判断し、一方の電気錠１１を解錠から施錠に復帰させることにより、ピッキングによる不正解錠を防止している。
【０００８】
なお、他方の電気錠１２が解錠された後、所定時間内に一方の電気錠１１の解錠検知出力が制御回路１６に入力しない場合にも、上記同様にピッキングによる不正解錠として、他方の電気錠１２を施錠に復帰させる。
【０００９】
他方、上記した電気錠装置は、電気錠１１、１２が解錠状態にあるときに、いずれか一つの電気錠について機械的キーやサムターンによる施錠がなされると、制御回路１６が他方の電気錠についても施錠制御する追従施錠方式となっている。
【先行技術文献】
【特許文献】
【００１０】
【特許文献１】特許第４７６６１７７号公報
【発明の概要】
【発明が解決しようとする課題】
【００１１】
上記した従来例の電気錠装置は、機械的なキーやサムターンによる施錠または解錠を検知手段１３、１４によって常に監視している関係で、施錠状態または解錠状態では、これら検出手段１３または１４には検知出力のための検知電流が流れており、そのため、検知手段１３、１４の消費電力が多くなる。
商用電源（例えば、１００Ｖ電源）を使用する電気錠装置では、それほど大きな問題ではないが、電池電源を使用する電気錠装置は電池の電力消耗が速くなるために、重要な問題となる。
【００１２】
そこで、本発明では、上記した実情にかんがみ、機械的キーによって操作されるシリンダー錠を備える電気錠装置において、ワンドア・ツーロック構成の追従施錠機能やピッキングなどの不正解錠防止機能を設けるために、施錠状態と解錠状態とを検知する検知手段を設けた電気錠装置においても、検知手段による電力消費を可能なるかぎり減少させることができる電気錠装置を提案する。
【課題を解決するための手段】
【００１３】
上記した目的を達成するため、本発明では第１の発明として、電動またはシリンダー錠の手動操作により、施錠および解錠が可能な錠前と、前記錠前の施錠状態または解錠状態を検知する検知手段と、前記検知手段の結果を監視し、その監視結果に基づいて前記錠前を電動駆動させる制御手段とを有する電気錠装置において、前記検知手段は、前記錠前が施錠状態にあるときに導通状態となることで施錠検知出力を出力する第１検知手段と、前記錠前が解錠状態にあるときに導通状態となることで解錠検知出力を出力する第２検知手段と、前記錠前が施錠状態と解錠状態の間の中間状態にあるときに導通状態となることで中間検知出力を出力する第３検知手段とを備え、前記制御手段は、前記シリンダー錠による施解錠動作において、前記検知手段からの検知出力に応じて、第１検出手段および前記第２検出手段の検知手段からの検知出力の有無を監視する動作モードと、非導通状態となっている検知手段を選択して監視する待機モードとを切り換える動作モード制御部を有することを特徴とする電気錠装置を提案する。
【００１４】
第２の発明は、上記した第１の発明の電気錠装置において、前記第１、第２、第３検知手段は、前記した錠前に設けたサムターンと共に回動する可動接点と、この可動接点が回動によって順次接合する施錠用固定接点、中間用固定接点、解錠用固定接点とを有するスイッチ構成としたことを特徴とする電気錠装置を提案する。
【００１５】
第３の発明は、上記した第１の発明または第２の発明の電気錠装置において、  前記動作モード制御部は、前記施錠検知出力または前記解錠検知出力を検知したとき、前記第３検知手段からの中間検知出力の有無のみを監視し、他の検知出力は監視しない第１待機モード制御を行う構成としたことを特徴とする電気錠装置を提案する。
【００１６】
第４の発明は、上記した第１の発明または第２の発明の電気錠装置において、前記制御手段には、前記錠前が施錠状態にあるか、解錠状態にあるかを記憶するメモリを設け、前記動作モード制御部は、前記中間検知出力を検知したときに、前記メモリに解錠状態にあったことが記憶されているときには、前記第１検知手段の検知出力の有無のみを監視し、前記第２検知手段および前記第３検知手段の検知出力は監視しない第２待機モード制御を行うことを特徴とする電気錠装置を提案する。
【００１７】
第５の発明は、上記した第１の発明または第２の発明の電気錠装置において、前記制御手段には、前記錠前が施錠状態にあるか、解錠状態にあるかを記憶するメモリを設け、前記動作モード制御部は、前記中間検知出力を検知したときに、前記メモリに解錠状態にあったことが記憶されているときには、前記第２検知手段の検知出力の有無のみを監視し、前記第１検知手段および前記第３検知手段の検知出力は監視しない第３待機モード制御を行うことを特徴とする電気錠装置を提案する。
【００１８】
第６の発明は、上記した第１の発明乃至第５の発明のいずれかの電気錠装置において、前記動作モード制御部は、前記中間検知出力および施錠検知出力を同時に検知したときに、前記第２検知手段の解錠検知出力の有無のみを監視し、前記第１検知手段および前記第３検知手段の検知出力は監視しない第１異常待機モード制御を行うことを特徴とする電気錠装置を提案する。
【００１９】
第７の発明は、上記した第１の発明乃至第４の発明のいずれかの電気錠装置において、前記動作モード制御部は、前記中間検知出力および解錠検知出力を同時に検知したときに、前記第１検知手段の施錠検知出力の有無のみを監視し、前記第２検知手段および前記第３検知手段の検知出力は監視しない第２異常待機モード制御を行うことを特徴とする電気錠装置を提案する。
【００２０】
第８の発明は、上記した第１の発明乃至第７の発明のいずれかの電気錠装置において、前記動作モード制御部は、前記した全ての検知出力を同時に検知したときに、前記した全ての検知手段の検知出力を監視しない第３異常待機モード制御を行い、電動による施錠操作または解錠操作されたときに前記動作モードへの切り換え制御を行うことを特徴とする電気錠装置を提案する。
【００２１】
第９の発明は、上記した第１の発明乃至第８の発明のいずれかの電気錠装置において、前記制御手段によって電動駆動される複数の錠前を設け、前記制御手段には、いずれかの前記錠前の施錠検知出力に応じて、他方の前記錠前を施錠駆動させる施錠追従モード制御部を設けたことを特徴とする電気錠装置を提案する。
【００２２】
第１０の発明は、上記した第１の発明または第２の発明の電気錠装置において、  前記制御手段によって電動駆動される複数の錠前を設け、前記制御手段には、前記錠前が施錠状態にあるか、解錠状態にあるかを記憶するメモリと、いずれかの前記錠前の中間検知出力に応じて起動するタイマーとを設け、前記制御手段は、いずれか一方の前記錠前から中間検知出力または解錠検知出力を検知したとき、前記タイマーを起動し、所定時間内に他方の前記錠前の第２検知手段からの解錠検知出力を検知しないとき、または、複数の前記錠前からの解錠検知出力を得ないときには、一方の前記錠前を施錠駆動させる防犯モード制御部を設けたことを特徴とする電気錠装置を提案する。
【発明の効果】
【００２３】
第１の発明の電気錠装置によれば、非導通状態となっている検知手段を選択して待機モードとなるので、待機モードにおいては各検知手段には電流が流れないない。
したがって、シリンダー錠を備え、手動動作による施解錠操作を長時間検知可能とした状態で待機する必要がある施錠状態の間または解錠状態の間でも、検知手段による電力消費がないから、電池電源を備える電気錠装置においても、電池電源の消耗を極力少なくすることができる。
【００２４】
第２の発明の電気錠装置によれば、第１、第２、第３検知手段は、錠前に設けたサムターンと共に回動する可動接点と、この可動接点が回動によって順次接合する施錠用固定接点、中間用固定接点、解錠用固定接点とを有するスイッチ構成としてあるので、各検知手段の構成が簡単となる。
【００２５】
第３の発明の電気錠装置によれば、動作モード制御部は、施錠検知出力または解錠検知出力を検知したとき、非導通となっている第３検出手段からの中間検知出力の有無のみを監視し、他の検知出力は監視しないので、電力消費の少ない待機モードなる。また、中間検知出力を監視することで、施錠状態からの動作であっても、解錠状態からの動作であっても、手動動作が始まると、動作モード制御部は、待機モードから動作モードへ切り替わる。
【００２６】
第４の発明または第５発明の電気錠装置によれば、中間検知出力を検知したとき、メモリの記憶状態にしたがって、第１検知手段または第２検知手段を選択して監視し、第３検知手段の中間検知出力を監視しない。
したがって、不正行為によって第３検出手段が導通状態とされ、この状態で待機モードとなったとしても、第３検知手段の中間検知出力は監視外となるから、検知手段による電力消費がない。
【００２７】
第６の発明または第７の発明の電気錠装置によれば、中間検知出力および施錠検知出力を同時に検知する異常動作のときは、第２検知手段の解錠検知出力の有無のみを監視し、また、中間検知出力および解錠検知出力を同時に検知する異常動作のときには、第１検知手段の施錠検知出力の有無のみを監視するようにし、異常状態でも検知手段による電力消費を抑える。
なお、シリンダー錠の手動操作によって、正常動作に復帰させることができるようにし、重大故障でないかぎり容易に正常な動作に復帰させることができる。
【００２８】
第８の発明の電気錠装置によれば、全ての検知出力を同時に検知したときには、異常動作として全ての検知手段の検知出力を監視しない異常待機モード制御とし、検知手段による電力消費を抑える。
そして、電動の施解錠操作を行うことで、正常動作に復帰させるようにすることによって、重大な故障でないかぎり容易に正常動作に復帰させることができる。
【００２９】
第９の発明の電気錠装置は、ワンドア・ツーロック式の錠前として、一方の錠前の施錠検知出力を受けた制御手段が、他方の錠前を施錠させる追従施錠方式を採用することができる。
【００３０】
第１０の発明の電気錠装置は、ワンドア・ツーロック構成の錠前を設け、一方の錠前から中間検知出力または解錠検知出力を検知したときから、所定時間内に全ての錠前の解錠検知出力を検知できないときは、ピッキングなどの不正行為と判断し、一方の錠前を施錠させる防犯モードの制御となる構成としてある。
【図面の簡単な説明】
【００３１】
【図１】図１（Ａ）は、本発明の一実施形態である電気錠装置を備えるドアの外面側を示した斜視図、同図（Ｂ）は、同ドアの内面側を示した斜視図である。
【図２】本発明の実施形態である電気錠装置の電気的な構成例を示すブロック図である。
【図３】上記の電気錠装置に備えた施錠スイッチ、中間スイッチ、解錠スイッチの固定接点を示した平面図である。
【図４】図４（Ａ）、（Ｂ）、（Ｃ）は、サムターンの回動にしたがって切り替わる解錠スイッチ、中間スイッチ、施錠スイッチの動作状態を示した簡略図である。
【図５】上記した電気錠装置に備えた制御回路の動作を示したフローチャートの一部である。
【図６】図５のフローチャートの他部分を示したフローチャートである。
【図７】上記した制御回路が有するピッキングの不正解錠の防犯モード動作を示すフローチャートである。
【図８】サブ錠にも中間検知手段を設けた実施形態を示す図２同様のブロック図である。
【図９】従来例として示した電気錠装置の電気的なブロック図である。
【発明を実施するための形態】
【００３２】
次に、本発明の一実施形態について図面に沿って説明する。
本実施形態は建物用の玄関ドアに備える電気錠装置を示し、図１（Ａ）に示してあるように、外側のハンドル３１を支持させた台座３２がドア３３の外面に固着してある。
そして、この台座３２には、メイン錠であるシリンダー錠のキー穴３４、カードキー（図示省略）からIＤコードを受信する受発信機３５、施解錠ボタン３６、インジケータ３７などが備えてあり、さらに、電気錠装置は、ワンドア・ツーロック構成としてあり、ドア３３の外面にはサブ錠のキー穴３８が設けてある。
【００３３】
また、本実施形態の電気錠装置は、図１（Ｂ）に示すように、内側ハンドル３９を支持させた台座４０がドア３３の内面に固着してある。
そして、この台座４０は、ドア３３に設けた電気錠４１とコントローラ４２とからなる電気錠装置とを覆うようにしてドア３３にネジ止めしてある。
なお、電気錠４１は、電気的に施解錠する駆動機構の他に、メイン錠となるシリンダー錠が設けてある。
【００３４】
その他に、台座４０の表面には、電気錠４１を室内からの手動操作で施解錠するサムターン４４が設けてある。
なお、電池電源４３は、台座４０の一部に形成した電池蓋４０ａを取り外し、電池ケースに乾電池を収納する構成としてあり、本実施形態では、単３型の乾電池を４本直列接続として収納させて電池蓋４０ａを被蓋する構成としてある。
【００３５】
また、ドア３３の内面には、今一つの台座４５を設け、この台座４５が電気錠４６を覆うようにしたドア３３の内面にネジ止めしてある。
なお、この電気錠４６についても、電気的に施解錠する駆動機構の他に、サブ錠となるシリンダー錠が設けてあり、さらに、台座４５の表面には、電気錠４６を室内からの手動操作で施解錠するサムターン４７が設けてある。
【００３６】
上記したように、本実施形態の電気錠装置は、カードキーにより施解錠する電気錠４１、４６の他に、機械的な鍵であるキーをキー穴３４、３８に差し入れて施解錠するシリンダー錠を備えている。
また、この電気錠装置は、電気錠４１、４６の動作の他に、サムターン４４、４７またはシリンダー錠の操作によって錠面４８からデットボルト４９、５０を出没させ、ハンドル３１、３９の操作によってラッチボルト５１をストライクの係止穴に突入させる仮締め用のラッチ錠とを備えている。
【００３７】
続いて、上記した電気錠装置の動作について図２に示した電気的なブロック図を参照しながら説明する。
先ず、施解錠ボタンを押し操作すると、受発信機３５から起動用電波が発信され、受発信機３５がその起動用電波を受けたカードキーから送信されたＩＤコードを含むカード信号を受信した後、そのＩＤコードを読み出す。
【００３８】
そして、受信したＩＤ信号はコントローラ４２の制御回路５２によって、予め用意された参照コードと比較され、正規のＩＤコードと判断されると、駆動回路５３によってモータと減速ギアが駆動され、電気錠４１が動作してデッドボルト４９を出没させる。
すなわち、解錠しているときは施錠、施錠しているときは解錠される。
なお、電気錠４６についても同様に駆動回路５４によって動作され、デッドボルト５０が出没する。
【００３９】
一方、キー穴３４に機械的なキーを差し入れてシリンダー錠によって施錠させれば、メイン錠となっているシリンダー錠の施錠信号が制御回路５２に送られ、制御回路５２が施錠信号にしたがってサブ錠である電気錠４６側のシリンダー錠を施錠制御する。
つまり、メイン錠であるシリンダー錠の施錠動作にしたがってサブ錠であるシリンダー錠を追従して施錠動作させることで、２つのシリンダー錠を別々に施錠操作することの手間を省く、所謂施錠追従制御を行うようになっている。
【００４０】
次に、本発明の特徴となっている第１、第２、第３検知手段について説明する。
図２に示したように、メイン錠である電気錠４１には、サムターン４４の回動にしたがって導通、非導通となる施錠スイッチ（施錠ＳＷ）５５、中間スイッチ（中間ＳＷ）５６、解錠スイッチ（解錠ＳＷ）５７が設けてあり、施錠スイッチ５５は監視回路５８と共に第１検知手段を、中間スイッチ５６は監視回路５９と共に第３検知手段を、解錠スイッチ５７は監視回路６０と共に第２検知手段を各々構成している。
【００４１】
また、サブ錠である電気錠４６についても、サムターン４７の回動にしたがって導通、非導通となる施錠スイッチ６１と、解錠スイッチ６２とを設け、施錠スイッチ６１が監視回路６３と共に第１検知手段を、解錠スイッチ６２が監視回路６４と共に第２検知手段を構成している。
【００４２】
図３は、上記した施錠ＳＷ５５、中間ＳＷ５６、解錠ＳＷ５７の構成例を示す正面図である。
図示する如く、基板６５上に順次配設した施錠接点５５ａ、中間接点５６ａ、解錠接点５７ａと、共通接点６６とからなる固定接点を設け、また、サムターン４４の回動に連動する上記の固定接点に接合する可動接点６７を設けてあり、可動接点６７が施錠接点５５ａと共通接点６６とに接触して施錠スイッチ５５がＯＮ（導通）し、可動接点６７が中間接点５６ａと共通接点６６とに接触して中間スイッチ５６がＯＮ（導通）し、可動接点６７が解錠接点５７ａと共通接点６６とに接触して解錠スイッチ５７がＯＮ（導通）する構成となっている。
【００４３】
図４（Ａ）は、サムターン４４の施錠位置への回動操作で、施錠スイッチ５５がＯＮした状態を示し、  図４（Ｂ）は、サムターン４４の中間位置への回動操作で、中間スイッチ５６がＯＮした状態を示し、図４（Ｃ）は、サムターン４４の解錠位置への回動操作で、解錠スイッチ５７がＯＮした状態を示している。
上記したように、本実施形態では、シリンダー錠またはサムターンの手動操作によって、順次切り替わる施錠ＳＷ５５、中間ＳＷ５６、解錠ＳＷ５７を設けて、シリンダー錠またはサムターンの手動操作を検知でき、施錠状態または解錠状態での電力消費を極力軽減する構成としてある。
【００４４】
続いて、施錠ＳＷ５５と監視回路５８とからなる第１検知手段、中間ＳＷ５６と監視回路５９からなる第３検知手段、解錠ＳＷ５７と監視回路６０からなる第２検知手段の各検知手段の検知出力を入力する制御回路５２の動作について図５及び図６に示すフローチャートを参照して説明する。
なお、図５及び図６において○印で示したＡ，Ｂは互いに接続する結合子を示し、同様に、○印で示したＣ、Ｄは互いに接続する結合子を示す。
【００４５】
図示する如く、制御回路５２は、シリンダー錠の施錠状態又は解錠状態では、中間ＳＷ５６、施錠ＳＷ５５、解錠ＳＷ５７のＯＦＦ状態にあるスイッチを選択的に起動待ちとなる制御としているので、順次説明する。（ＳＴ５０１、ＳＴ５０２、ＳＴ６０１、ＳＴ６０２参照）
なお、図５および図６のフローチャートは、シリンダー錠を解錠状態から施錠状態に切り換えられたとき、すなわち、図４（Ｃ）、図４（Ｂ）、図４（Ａ）の順にスイッチ切り換えされた場合の動作を示す。
【００４６】
（１）中間ＳＷを起動待ちにしてストップモード
本実施形態は、電動による解錠動作が完了した、または、手動による解錠動作が完全に行われた後のいずれでも適用可能であるが、説明の便宜のため、手動による解錠操作後についてのみ説明を行う。この場合、可動接点６７が解錠接点５７ａに接触した図４（Ｃ）の状態となっているが、この時点では制御回路５２が施錠接点５５ａと解錠接点５７ａを給電停止（プルアップＯＦＦ）とした制御としている。
したがって、施錠ＳＷ５５、解錠ＳＷ５７には電流が流れておらず、可動接点６７が接触してＯＮとなっているが、電力消費はない。
なお、中間接点５６ａと可動接点６７間には、電圧が印加されているが、この時点では可動接点６７が図４（Ｃ）の位置にあるから、中間ＳＷ５６はＯＦＦとなっているため、中間ＳＷ５６における電力消費もない。
【００４７】
したがって、中間ＳＷ５６のＯＦＦで起動待ちとなっている状態で、機械的キーでシリンダー錠を施錠するように回動させ、可動接点６７を中間接点５６ａに接合させれば、中間接点５６ａが可動接点６７を介して共通接点６６に電気接続され、中間ＳＷ５６がＯＮする。（ＳＴ５０１、ＳＴ５０３参照）
この結果、監視回路５９を介して中間検知出力が制御回路５２に送られる。
【００４８】
制御回路５２は、この検知出力の入力に応答し、中間ＳＷ５６の給電電圧を停止（プルアップＯＦＦ）すると共に、可動接点６７と施錠接点５５ａ、解錠接点５７ａとの間にＯＮ／ＯＦＦ電圧（例えば、パルス電圧）印加する。（ＳＴ５０４、ＳＴ５０５参照）
そして、この状態で動作モードとなり、シリンダー錠の回動が進むと、可動接点６７が中間ＳＷ５６から施錠ＳＷ５５に切り替わる。制御回路５２が施錠ＳＷ５５のＯＮ状態をチェックする。（ＳＴ５０６参照）
【００４９】
施錠ＳＷ５５がＯＮしておれば、メイン錠が施錠されたとし監視回路５８を介して施錠検知出力が制御回路５２に入力するから、サブ錠である電気錠４６が追従実行によって施錠動作する。（ＳＴ５０７参照）
なお、電気錠４６が施錠すると、施錠ＳＷ６１がＯＮするから、その検知出力が監視回路６３を介して制御回路５２に送られる。
なお、施錠ＳＷ５５をチェックするＳＴ５０６において、施錠ＳＷ５５がＯＮしていないときは、５秒間の間チェックを続け、この時間内にＯＮが確認できない場合はリターンし、インジケータ３７などによって解錠状態であることを報知する。（ＳＴ５０８参照）
【００５０】
続いて、施錠ＳＷ５５、中間ＳＷ５６、解錠ＳＷ５７のプルアップをＯＮ（各ＳＷに電圧印加）して各ＳＷのＯＮ、ＯＦＦ状態をチェックする。（ＳＴ５０９、ＳＴ５１０参照）
このとき、中間ＳＷ５６がＯＦＦしておれば、監視回路５９から送られる中間検知出力に応答する制御回路５２が施錠ＳＷ５５、解錠ＳＷ５７のプルアップをＯＦＦ制御し、中間ＳＷ５６起動待ちのストップモードに移る。（ＳＴ５１１、ＳＴ５１２、ＳＴ５０１参照）
以上で第１待機モード（上記は、第１待機モード→動作モード→第１待機モードに突入の説明のため第１待機モードでの施錠動作が終了し、第１待機モードに入る）からの施錠動作が終了する。
【００５１】
（２）施錠ＳＷを起動待ちにしてストップモード
シリンダー錠が施錠と解錠の中間に操作されたときは、中間ＳＷ５６が図４（Ｂ）に示すＯＮとなっているから、この場合には、監視回路５９を介して中間出力を入力した制御回路５２がメモリ６８の記憶内容にしたがって、次の制御を行う。
すなわち、メモリ６８に解錠状態であることが記憶されておれば、施錠ＳＷ５５のチェックを行い、施錠ＳＷ５５がＯＦＦであるときには、中間ＳＷ５６と解錠ＳＷ５７のプルアップをＯＦＦ制御し、施錠ＳＷ５５を起動待ちにしてストップモードとなる。（ＳＴ５１３、ＳＴ５１４、ＳＴ５０２参照）
すなわち、第２待機モードとなり、このモードでは、施錠ＳＷ５５はＯＦＦとなっており、中間ＳＷ５６及び解錠ＳＷ５７が共にプルアップＯＦＦとなっているから、電力消費がない。
【００５２】
この第２待機モードにおいて、メイン錠であるシリンダー錠が施錠するように操作されると、図４（Ｂ）から図４（Ａ）にスイッチ切り換えされるため、施錠ＳＷ５５がＯＮとなり、この施錠検知出力は監視回路５８を介して制御回路５２に送られる。
このとき、制御回路５２は施錠ＳＷ５５のプルアップをＯＦＦする。（ＳＴ５１５、ＳＴ５１６参照）
その後は、上記したところの動作モード（ＳＴ５０５〜ＳＴ５０８）を行い、ＳＴ５０９〜ＳＴ５１１のステップに移る。
【００５３】
（３）解錠ＳＷを起動待ちにしてストップモード
シリンダー錠の操作で、中間ＳＷ５６の検知出力と施錠ＳＷ５５の検知出力が同時に制御回路５２に入力されたときは、次の制御を行う。
すなわち、制御回路５２は解錠ＳＷ５７のチェックを行い、解錠ＳＷ５７がＯＦＦであれば、施錠ＳＷ５５と中間ＳＷ５６のプルアップをＯＦＦ制御し、解錠ＳＷ５７を起動待ちとしたストップモードとなる。（ＳＴ６０３、ＳＴ６０４参照）
つまり、上記の場合は正常動作ではないから、第１異常待機モードとなり、このモードにおいて、メイン錠であるシリンダー錠を解錠するように操作すれば、制御回路５２が解錠ＳＷ５７の検知出力を入力し、その検知出力に応答して解錠ＳＷ５７のプルアップをＯＦＦする。（ＳＴ６０５、ＳＴ６０６参照）
その後は、上記したところの動作モード（ＳＴ５０５〜ＳＴ５０８）を行い、ＳＴ５０９〜ＳＴ５１１のステップに移る。
【００５４】
（４）施錠ＳＷ、中間ＳＷ、解錠ＳＷを起動待ちにとしないストップモード
メイン錠であるシリンダー錠の操作において、施錠ＳＷ５５、中間ＳＷ５６、解錠ＳＷ５７の各ＳＷがＯＮしていることの検知出力が制御回路５２に入力されたときは、直ちに、これらＳＷのプルアップをＯＦＦし、施錠ＳＷ５５、中間ＳＷ５６、解錠ＳＷ５７を起動待ちとしないストップモードとなる。（ＳＴ５１１、ＳＴ５１３、ＳＴ６０３、ＳＴ６０７参照）
この動作は異常動作である第２異常待機モードとなる。
この第２異常待機モードとなったときは、カードキーを使って電動施解錠操作を試みる。
この電動施錠操作によって、重大な故障でなければ正常動作に復帰させることができる。
【００５５】
（５）フローチャートの変更
上記したフローチャートは次のように変更することができる。
制御回路５２が、施錠ＳＷ５５がＯＮか否かを判断するステップＳＴ５１３において、メモリ６８に解錠状態が記憶されている場合であったとしても、解錠ＳＷ５７をチェックし、この解錠ＳＷ５７がＯＦＦしておれば、中間ＳＷ５６と施錠ＳＷ５５のプルアップをＯＦＦして解錠ＳＷ５７を起動待ちとしたストップモード、いわゆる第３待機モードとすることができる。
【００５６】
この第３待機モードにおいて、シリンダー錠を解錠するように操作すれば、解錠ＳＷ５７がＯＮし、この施錠検知出力に応答する制御回路５２が解錠ＳＷのプルアップをＯＦＦさせた後、上記したところの動作モード（ＳＴ５０５〜ＳＴ５０８）を行い、ＳＴ５０９〜ＳＴ５１１のステップに移る。
また、第２待機モード、第３待機モードではメモリ６８の記憶に応じて、施錠ＳＷ５７または解錠ＳＷ５８を起動待ちにするが、メモリ６８の記憶によらず、施錠ＳＷ５７および解錠ＳＷ５８を共に起動待ちにしてもよい。
【００５７】
また、シリンダー錠の操作で、中間ＳＷ５６の検知出力と解錠ＳＷ５７の検知出力が同時に制御回路５２に入力されたときに、施錠ＳＷ５５をチェックして、施錠ＳＷ５５がＯＦＦであれば、中間ＳＷ５６と解錠ＳＷ５７のプルアップをＯＦＦとして施錠ＳＷ５５を起動待ちとした第３異常待機モードとすることができる。
この第３異常待機モードの場合は、メイン錠であるシリンダー錠を施錠するように操作すると、施錠ＳＷ５５がＯＮである施錠検知出力に応答する制御回路５２が施錠ＳＷ５５のプルアップをＯＦＦした後、上記したところの動作モード（ＳＴ５０５〜ＳＴ５０８）を行い、ＳＴ５０９〜ＳＴ５１１のステップの制御を行う。
なお、本実施形態では、電気錠４６が第３検知手段を備えていないが、後述するように電気錠４６が第３検知手段を備えることもでき、その場合には、メイン錠とサブ錠を区別することなく、任意のシリンダー錠の施錠を検知して、残りのシリンダー錠の施錠追従を実行することができる。
【００５８】
（６）ピッキングの防犯モード
図７は、中間ＳＷ５６を起動待ちとしてストップモードとなっているときに、ピッキングが行われた場合の防犯モードの例を示している。
この場合には、図８のように、サブ錠にも第１検知手段、第２検知手段、第３検知手段の全ての検知手段を備えていることが望ましい。
なお、図８は、サブ錠である電気錠４６部分を示した部分図であり、その他は図２のブロック図と同じ構成である
そして、第１検知手段は施錠スイッチ６１と監視回路６３とで構成し、第２検知手段は解錠スイッチ６２と監視回路６４とで構成し、第３検知手段は中間スイッチ６９と監視回路７０とで構成してある。
このストップモードで、ピッキングが行われた場合には、中間ＳＷ５６がＯＮするので、その中間検知出力に応答する制御回路５２が中間ＳＷ５６のプルアップをＯＦＦ制御して、２０秒タイマーをスタートさせる。
なお、タイマー時間は２０秒にかぎらず必要に応じて変えることができる。（ＳＴ５０１、ＳＴ７０１、ＳＴ５０３、ＳＴ５０４、ＳＴ７０２参照）
【００５９】
続いて、ピッキングされた一方のシリンダー錠とピッキングされていない他方のシリンダー錠がメイン錠かサブ錠かのチェックを行う。
そして、メイン錠とサブ錠との施錠ＳＷ、解錠ＳＷにＯＮ／ＯＦＦ電圧（例えば、パルス電圧）を印加する。（ＳＴ７０３、ＳＴ７０４参照）
そして、メイン錠とサブ錠が共に解錠状態か、施錠状態かを判断し、いずれも施錠、解錠が２０秒以内に行われておれば、正常操作であると判断してリターンする。（ＳＴ７０５、ＳＴ７０６参照）
さらに、メイン錠とサブ錠の一方のシリンダー錠が解錠された後、他方のシリンダー錠がタイマー時間である２０秒経過しても解錠されないときは、ピッキングによる解錠行為として、解錠されている一方のシリンダー錠を施錠させる施錠復帰の実行を行う。（ＳＴ７０７、ＳＴ７０８参照）
または、メイン錠とサブ錠の一方のシリンダー錠が施錠状態から中間状態にされた後、一方および他方のシリンダー錠がタイマー時間である２０秒経過しても解錠されないときは、ピッキングによる解錠行為として、施錠状態にない一方および他方のシリンダー錠を施錠させる施錠復帰の実行を行う。（ＳＴ７０７、ＳＴ７０８参照）
なお、解錠ＳＷ５７を起動待ちとしてストップモードとなっているときに、ピッキングが行われた場合の防犯モードを実行してもよい。
【００６０】
以上、本発明の一実施形態について説明したが、本発明は、必ずしも、メイン錠とサブ錠とを備えたワンドア・ツーロック構成として実施する必要がなく、メイン錠のみを備えたワンロック構成においてもストップモード時の電力消費を防止する構成として実施することができる。
【産業上の利用可能性】
【００６１】
電池電源を備える電気錠装置に適する。
【符号の説明】
【００６２】
３４  メイン錠のキー穴
３８  サブ錠のキー穴
４１  電気錠
４２  コントローラ
４３  電池電源
４４  サムターン
４６  電気錠
４７  サムターン
５２  制御回路
５５  施錠スイッチ
５５ａ  施錠接点
５６  中間スイッチ
５６ａ  中間接点
５７  解錠スイッチ
５７ａ  解錠接点
５８、５９、６０  監視回路
６１  施錠スイッチ
６２  解錠スイッチ
６３、６４  監視回路
６６  共通接点
６７  可動接点
６８  メモリ
【図１】
2014224427.tif 000003
【図２】
2014224427.tif 000004
【図３】
2014224427.tif 000005
【図４】
2014224427.tif 000006
【図５】
2014224427.tif 000007
【図６】
2014224427.tif 000008
【図７】
2014224427.tif 000009
【図８】
2014224427.tif 000010
【図９】
2014224427.tif 000011